(57)【要約】【課題】  軸に嵌合する止め輪を回動させることなく手動で容易に狭い場所でも安全に外せる止め輪外し工具を提供する。【解決手段】  軸１０の円周方向に形成した溝１１に嵌合された止め輪２０を取り外す外し部１と、上記外し部１が上記止め輪２０を取り外す際の上記軸１０を保持する保持部２と、上記外し部１と上記保持部２を先端に配置した本体３と、上記本体３の上記保持部２に配置されて上記外し部１が取り外す上記止め輪２０を収納して保管する保管部４とからなる。【選択図】  図１
2005230936.tif 000002
【特許請求の範囲】
【請求項１】
軸の円周方向に形成した溝に嵌合された止め輪を取り外す止め輪外し工具において、上記溝に嵌合された止め輪を取り外す外し部と、上記外し部が上記止め輪を取り外す際に上記軸を保持する保持部と、上記外し部と上記保持部を先端に配置した本体と、上記保持部に配置されて上記外し部が取り外す上記止め輪を収納して保管する保管部と、からなることを特徴とする止め輪外し工具。
【請求項２】
請求項１に記載の止め輪外し工具において、外し部は、二股の先端が分かれた形状の二股形状部からなることを特徴とする止め輪外し工具。
【請求項３】
請求項２に記載の止め輪外し工具において、二股形状部は、先端部が鍔形状の鍔形状部からなることを特徴とする止め輪外し工具。
【請求項４】
請求項１、２又は３に記載の止め輪外し工具において、保持部は、軸を保持する半円形状の保持溝からなることを特徴とする止め輪外し工具。
【請求項５】
請求項１、２、３又は４に記載の止め輪外し工具において、本体は、元の形態に戻る為のバネ性を有することを特徴とする止め輪外し工具。
【請求項６】
請求項１、２、３、４又は５に記載の止め輪外し工具において、保管部は、取り外す止め輪を収納して保管する袋形状の袋形状部からなることを特徴とする止め輪外し工具。
【請求項７】
請求項６に記載の止め輪外し工具において、袋形状部は、先端部に先のとがった形状の鋭角部を備えていることを特徴とする止め輪外し工具。
【発明の詳細な説明】
【技術分野】
【０００１】
本発明は、止め輪外し工具に関し、詳しくは、軸の円周方向に形成した溝に嵌合された止め輪を取り外す止め輪外し工具に関する。
【背景技術】
【０００２】
従来から、軸に回転可能な部品を挿入したときの部品の抜け防止や、軸自体をフレーム等の取り付け孔に挿入してから固定する際にＥ型、又は、Ｕ型の止め輪が使用されている。
軸体、Ｅ型止め輪やその他の部品に変形やキズを与えることなく、Ｅ型止め輪を容易に、しかも、確実に圧入できるＥ型止め輪取付装置は公知である（特許文献１を参照）。
図６において、そこで、軸１１０の円周方向に形成した溝１１１に嵌合されたＥ型、又は、Ｕ型の止め輪１２０を軸１１０から取り外す場合には、1本の先細のドライバー１００等を、軸１１０とＥ型、又は、Ｕ型の止め輪１２０の隙間に挿入し、テコの原理にて外す事が知られている。
しかし、1本のドライバー１００を隙間に差し込む場合、Ｅ型、又は、Ｕ型の止め輪１２０と垂直方向ではなく、図示の矢印（Ａ）方向の約４５度方向に力が働く為に、Ｅ型、又は、Ｕ型の止め輪１２０に図示の矢印（Ｂ）方向に回動する力が加わり、Ｅ型、又は、Ｕ型の止め輪１２０を外す事が困難であった。
両端部に端面、及び、側面に開口する収容凹部を有する本体の該各収容凹部の底壁に支柱を立設し、該支柱に遊嵌する長孔を有し上記本体の一方の収容凹部に摺動可能に挿入され、且つ、上記端面方向に付勢された嵌め込み用スライドベースにＥ型止め輪の外周面を挟持する挟持突起を設け、上記支柱に遊嵌する長孔を有し上記本体の他方の収容凹部に摺動可能に挿入され、且つ、上記端面方向に付勢された取り外し用スライドベースの端面にＥ型止め輪の開口部の両端を押動可能な押動部を形成し、上記本体に着設され上記両収容凹部を被覆するカバーの先端にＥ型止め輪の開口部の反対側に当接可能な当接部を設けて、軸に周設された環状凹溝にＥ型止め輪を容易に嵌着したり、嵌着されたＥ型止め輪を容易に取り外し出来るＥ型止め輪の嵌め込み取り外し器が公知である（特許文献２を参照）。
然し、このＥ型止め輪の嵌め込み取り外し器は、軸に直角方向に用いる為に狭い場所では使えず、止め輪はばね作用を有しているため、軸から外れる時に広がり、外れた後に元に戻ろうとして、止め輪が勢い良く飛んで危険となる不具合も生じていた。
【０００３】
Ｅ形止め輪を締結した対象軸の軸端部に対して軸方向から接近して該軸端部に係合する軸固定部と、Ｅ形止め輪の開口部内に嵌合してＥ形止め輪を拡開させるためのピンを備えた２つのアームと、該２つのアームを拡開方向に開閉させる回動機構からなり、Ｅ形止め輪を拡開させてから軸方向に移動させて軸から離脱させることにより、近接する他の軸等に影響されずに確実、且つ、容易に離脱させることが可能となり、取外し作業の自動化も容易に行うようにするＥ形止め輪取外し装置も公知である（特許文献３を参照）。
然し、このような取外し作業を手動で行うには、大きな力が必要である。
そこで、使用者が手動で動かす握り部を設けて、Ｅ形止め輪の凹部と軸との隙間に挿入可能な止め輪押し部と、この止め輪押し部を挿入した状態で、Ｅ形止め輪の開口部の外側に位置する当接部を備えて、止め輪押し部は、隙間に挿入した状態で、軸と逆方向に動かすことによってＥ形止め輪を押し動かすことが可能であり、前記当接部は、前記Ｅ形止め輪が前記軸から外れると略同時に前記軸に当接して、前記Ｅ形止め輪の飛び出しを防止しようとするＥ形止め輪外し治具も公知である（特許文献４を参照）。
然し、このようなＥ形止め輪外し治具では、外れるＥ形止め輪の保持が出来ないことがあり、その保持が不完全で危険であった。
更に、止め輪が貫通しうる孔を設けた棒状体と、孔の側壁に形成し、止め輪の両端部を押圧して軸から止め輪を外す止め輪押出し部と、軸から外れた止め輪を飛散する前に吸着しょうとする永久磁石とからなる止め輪の抜取り工具も公知である（特許文献５を参照）。
然し、このような止め輪の抜取り工具では、止め輪を外すことが容易ではなく、困難であった。
従って、従来の止め輪外し工具においては、軸に嵌合する止め輪を外す際に、外す止め輪が回動したり、大きな力が必要である等で軸に嵌合する止め輪を外す事が困難であるだけでなく、狭い場所では使えず、外れた止め輪が勢い良く飛んで危険になると言う不具合が生じていた。
【特許文献１】特開２００１−２１２７７２公報
【特許文献２】特許第２７６１２４８号公報
【特許文献３】特開平１１−２８５９２８号公報
【特許文献４】特開２００２−１２７０３７公報
【特許文献５】特開平８−１１８２５３号公報
【発明の開示】
【発明が解決しようとする課題】
【０００４】
従来の止め輪外し工具においては、軸に嵌合する止め輪を外す際に、外す止め輪が回動したり、大きな力が必要である等で軸に嵌合する止め輪を外す事が困難であるだけでなく、狭い場所では使えず、外れた止め輪が勢い良く飛んで危険になると言う問題が発生していた。
そこで本発明の課題は、このような問題点を解決するものである。即ち、軸に嵌合する止め輪を回動させることなく手動で容易に狭い場所でも安全に外せる止め輪外し工具を提供することを目的とする。
【課題を解決するための手段】
【０００５】
上記目的を達成するために、請求項１に記載の本発明は、軸の円周方向に形成した溝に嵌合された止め輪を取り外す止め輪外し工具において、軸の円周方向に形成した溝に嵌合された止め輪を取り外す外し部と、上記外し部が上記止め輪を取り外す際の上記軸を保持する保持部と、上記外し部と上記保持部を先端に配置した本体と、上記本体の上記保持部に配置されて上記外し部が取り外す上記止め輪を収納して保管する保管部とからなる止め輪外し工具であることを最も主要な特徴とする。
又は、請求項２に記載の本発明は、請求項１に記載の止め輪外し工具において、外し部は、二股の先端が分かれた形状の二股形状部からなる止め輪外し工具であることを主要な特徴とする。
又は、請求項３に記載の本発明は、請求項２に記載の止め輪外し工具において、二股形状部は、先端部が鍔形状の鍔形状部からなる止め輪外し工具であることを主要な特徴とする。
又は、請求項４に記載の本発明は、請求項１、２又は３に記載の止め輪外し工具において、保持部は、軸を保持する半円形状の保持溝からなる止め輪外し工具であることを主要な特徴とする。
又は、請求項５に記載の本発明は、請求項１、２、３又は４に記載の止め輪外し工具において、本体は、元の形態に戻る為のバネ性を有する止め輪外し工具であることを主要な特徴とする。
又は、請求項６に記載の本発明は、請求項１、２、３、４又は５に記載の止め輪外し工具において、保管部は、取り外す止め輪を収納して保管する袋形状の袋形状部からなる止め輪外し工具であることを主要な特徴とする。
又は、請求項７に記載の本発明は、請求項６に記載の止め輪外し工具において、袋形状部は、先端部に先のとがった形状の鋭角部からなる止め輪外し工具であることを主要な特徴とする。
【発明の効果】
【０００６】
本発明は、以下に説明するように構成されているので、請求項１の発明によれば、軸に嵌合する止め輪を回動させることなく手動で容易に狭い場所でも安全に外せる止め輪外し工具を提供することが出来るようになった。
請求項２の発明によれば、止め輪が外し部に安定して、軸に嵌合する止め輪を回動させることなく手動で容易に狭い場所でも安全に外せる止め輪外し工具を提供することが出来るようになった。
請求項３の発明によれば、止め輪が外し部に安定してずれることなく、軸に嵌合する止め輪を回動させることなく手動で容易に狭い場所でも安全に外せる止め輪外し工具を提供することが出来るようになった。
請求項４の発明によれば、軸から保持部がずれることなく、軸に嵌合する止め輪を回動させることなく手動で容易、且つ、楽に狭い場所でも安全に外せる止め輪外し工具を提供することが出来るようになった。
請求項５の発明によれば、本体を軸から簡単に取り外す事が出来て、軸に嵌合する止め輪を回動させることなく手動で、更に、容易、且つ、楽に狭い場所でも安全に外せる止め輪外し工具を提供することが出来るようになった。
請求項６の発明によれば、軸に嵌合する止め輪を回動させることなく手動で容易に狭い場所でも止め輪が容易に袋形状部に収まるので、更に、安全に外せる止め輪外し工具を提供することが出来るようになった。
請求項７の発明によれば、軸に嵌合する止め輪を回動させることなく手動で容易に狭い場所でも止め輪が容易で確実に袋形状部に収まるので、更に、安全に外せる止め輪外し工具を提供することが出来るようになった。
【発明を実施するための最良の形態】
【０００７】
次に、本発明の実施の形態を図面を参照して詳細に説明する。
図１乃至図３において、軸の円周方向に形成した溝に嵌合された止め輪を取り外す止め輪外し工具０は、軸１０の円周方向に形成した溝１１に嵌合された止め輪２０を取り外す外し部１と、外し部１が止め輪２０を取り外す際に軸１０に設けた被保持部１０ａを保持する保持部２と、外し部１と保持部２を先端に配置した本体３と、本体３の保持部２に配置されて外し部１が取り外す止め輪２０を収納して保管する保管部４とからなり、軸１０に嵌合する止め輪２０を回動させることなく手動で容易に狭い場所でも安全に外せる。
止め輪外し工具０は、軸１０の円周方向に形成した溝１１に嵌合されたＵ型、又は、Ｅ型等の止め輪２０を、軸１０から取り外す時に、止め輪２０を図示の矢印（Ｃ）方向に押し下げる外し部１と、止め輪２０を図示の矢印（Ｃ）方向に押し下げる時に軸１０の被保持部１０ａを保持する為の保持部２と、外れた止め輪２０を飛ばすことなく保管する保管部４を備えて、図示のように外し部１と保持部２が本体３の先端に配置している為に、和鋏等で使用される梃子の原理で軸１０と水平方向に用いる為に狭い所でも、簡単に、且つ、安全に止め輪２０を外す事が出来る。
又、本体３は、バネ性を有しているから、止め輪２０を軸１０の溝１１から取り外した後に、そのバネ性によって、本体３が図示の矢印（Ｄ）方向の元の形態に戻る為に、本体３を軸１０から簡単に取り外す事が出来る。
つまり、止め輪外し工具０は、作業者の片手で把持可能なサイズと、片手の握力にて弾性変形させることができる程度の弾性を有した略Ｕ字、或いはＶ字状の本体３と、本体３の一端に設けた外し部１と、本体３の他端部に設けた保持部２と、保管部４等を備えている。外し部１は、その先端に、止め輪２０の両端部に同時に係合し得るように２つの鍔形状部１ｂを備えている。
図１のように工具を止め輪２０、及び軸１０に係合させた状態で、本体３を把持して圧縮することにより、止め輪は軸から離脱して下方へ落下し、保管部４内に収容される。
図３は図１の止め輪外し工具０の平面図であり、外し部１は、本体３の先端に位置し、二股に分かれた形状の二股形状部１ａからなり、二股形状部１ａの先端部が鍔形状の鍔形状部１ｂを有している形状になっているから、止め輪２０が外し部１に安定してずれないようになっている。
更に、容易、且つ、簡単に止め輪２０を外す事が出来る。
【０００８】
図４と図５において、保持部２は、軸１０の被保持部１０ａの軸径に合ったラフな円形状の保持溝２ａを備え、軸１０の被保持部１０ａ（一端面の縁部）を嵌合支持することにより、保持部２がずれないようになっている。
これによれば、更に、容易、且つ、簡単に上記止め輪２０を外す事が出来る。
上記保管部４は、取り外す止め輪２０を収納して保管する袋形状の袋形状部４ａからなり、袋形状部４ａの先端部に先のとがった形状の鋭角部４ｂを備えており、取外しに際しては、鋭角部４ｂを止め輪２０の裏側２０ａに差し込むことが出来るようになっている（図１を参照）。
鋭角部４ｂを止め輪２０の裏側２０ａに差し込むことによって、取り外された止め輪２０が飛ぶことなく保管部４の袋形状部４ａ内に容易で確実に収まるので、更に、安全である。
止め輪外し工具０を操作する際には、本体３の握り部３ａを持ち、鋭角部４ｂを止め輪２０の裏側２０ａに差し込み、保持溝２ａを軸１０の被保持部１０ａに合わせる。
そして、外し部１を止め輪２０の先端に合わせて、握り部３ａを強く握れば、止め輪２０が、図示の矢印（Ｃ）方向に外れて、上記保管部４の上記袋形状部４ａ内に容易に確実に収まるので、更に、安全である。
止め輪２０が外れたら、本体３の握り部３ａの握りをゆるめると、本体３のバネ性により、本体３が図示の矢印（Ｄ）方向に広がり、本体３を軸１０から容易に外すことが出来るようになっている。
従って、軸１０の被保持部１０ａに嵌合する止め輪２０を回動させることなく手動で容易に狭い場所でも安全に外せる止め輪外し工具０を提供することが出来るようになった。
【図面の簡単な説明】
【０００９】
【図１】本発明の実施の形態例を示す止め輪外し工具を説明する側面図である。
【図２】図１の正面図である。
【図３】図１の上面図である。
【図４】本発明の実施の形態例を示す止め輪外し工具の主要部を説明する斜視図である。
【図５】本発明の実施の形態例を示す止め輪外し工具の主要部の状態を説明する説明図である。
【図６】従来の止め輪外し工具の主要部を説明する説明図である。
【符号の説明】
【００１０】
０  止め輪外し工具、１  外し部、１ａ  二股形状部、１ｂ  鍔形状部、２  保持部、２ａ  保持溝、３  本体、３ａ  握り部、４  保管部、４ａ  袋形状部、４ｂ  鋭角部、１０  軸、１０ａ  被保持部、１１  溝、２０  止め輪、２０ａ  裏側、１００  ドライバー、１１０  軸、１１１  溝、１２０  止め輪。
【図１】
2005230936.tif 000003
【図２】
2005230936.tif 000004
【図３】
2005230936.tif 000005
【図４】
2005230936.tif 000006
【図５】
2005230936.tif 000007
【図６】
2005230936.tif 000008